(57)【要約】【課題】酵素浴剤の温度低下を抑制することによって、酵素浴剤の攪拌や加熱、浴剤の入れ替えなどを行わずに、長時間に亘って満足のいく酵素浴を行うことのできる温浴設備を提供する。【解決手段】  浴室１０を構成している床パネル１１、壁パネル１２及び天井パネル１３と、酵素浴槽２０と、開閉扉３０とを有する。床、壁及び天井の各パネル１１，１２，１３と閉状態での開閉扉３０とによって浴室１０内の気密状態が保持されるように構成され、各パネル１１，１２，１３に断熱処理が施され、浴室１０内への吸排気が開閉扉３０の開閉動作に伴って行われるように構成されている。酵素浴槽２０が床パネル１１に対して底上げされて両者の間に空間が確保されている。【選択図】図１
2019063082.tif 000002
【特許請求の範囲】
【請求項１】
浴室を構成している床パネル、壁パネル及び天井パネルと、上記浴室に設置された温浴槽と、上記壁パネルに設置された出入り用の開閉扉とを有し、上記温浴槽が、槽本体に、微生物による天然発酵熱を利用して利用者の身体を温める酵素浴剤が敷き詰められた酵素浴槽である温浴設備であって、
上記床、壁及び天井の各パネルと閉状態での上記開閉扉とによって上記浴室内の気密状態が保持されるように構成され、上記各パネルに断熱処理が施され、上記酵素浴槽が上記床パネルに対して底上げされて両者の間に空間が確保されていることを特徴とする温浴設備。
【請求項２】
上記床パネルに対する上記酵素浴槽の底上げ幅が３０〜５０ｃｍに定められている請求項１に記載した温浴設備。
【請求項３】
上記各パネルに施された断熱処理が、それらの各パネルの背面側に断熱材を重ね合わせてなる請求項１又は請求項２に記載した温浴設備。
【請求項４】
上記温浴槽の槽本体が木製である請求項１ないし請求項３のいずれか１項に記載した温浴設備。
【発明の詳細な説明】
【技術分野】
【０００１】
本発明は、自然温熱療法の１つである所謂酵素浴を行うのに有益な温浴設備に関する。
【背景技術】
【０００２】
従来の酵素浴を行うための温浴設備では、利用時間中の快適さなどを高めることを意図して、浴室を構成している壁パネルなどに開閉式の窓を設置したり、換気扇による換気を可能にしたりしていることが多かった。また、浴室を単なる床パネル、壁パネル及び天井パネルで構成していることが多かった。
【０００３】
一方、先行例には酵素浴場が開示されている（たとえば、特許文献１参照）。特許文献１によって開示されている酵素浴場は、酵素と、米糠と、水とを混合した粉体状の浴剤を２層に配置し、上層を身体を浴するための微好気状態の層とし、下層を補助的な嫌気状態の層としている。また、酵素は、果物類、野草類、芋類、穀物類、糖類、蜂蜜などから作られるとしている。さらに、この特許文献１には、時間の経過と共に浴剤が酸欠状態になって酵素の働きが緩慢になり、浴剤の温度が低下するのを防止するために、従来にあっては、浴剤全体を定期的に攪拌したり、布団を掛けて保温したり、スチームなどによって加熱したり、浴剤を入れ替えたりしていた、とも記載されている。そのほか、上記のように浴剤を２層に配置しておくと、上層が酵素の働きに伴って酸欠状態になったとしても、下層では酵素が半永久的に嫌気性発酵を行うために、上層の浴剤温度の低下が抑制される、旨の記載がある。
【先行技術文献】
【特許文献】
【０００４】
【特許文献１】特開平１１−１９２２７７号公報
【発明の概要】
【発明が解決しようとする課題】
【０００５】
しかしながら、上記した従来の温浴設備では、密閉作用及び断熱作用を期待することのできないパネルを使用したりしていることが多かったため、浴室内の温度や湿度は床、壁、天井自体や隙間を通して外部に放熱・放出してしまい、特に酵素浴を行うための温浴設備にあっては、酵素浴に望まれる酵素浴剤の温度や湿度が短時間で低下してしまい、それに伴って微生物の働きが緩慢になって酵素浴に望まれる十分に高い温度や湿度が長時間に亘って保たれない、という状況が生じていた。その結果、酵素浴を行うことのできる利用者の数が少人数に限られていた。
【０００６】
本発明は、以上の事情に鑑みてなされたものであり、酵素浴を行うための温浴設備において、酵素浴剤ひいては浴室の温度及び湿度の低下を抑制することによって、長時間に亘って満足のいく酵素浴を行うことのできる温浴設備を提供することを目的とする。
【課題を解決するための手段】
【０００７】
本発明に係る温浴設備は、浴室を構成している床パネル、壁パネル及び天井パネルと、上記浴室に設置された温浴槽と、上記壁パネルに設置された出入り用の開閉扉とを有し、上記温浴槽が、槽本体に、微生物による天然発酵熱を利用して利用者の身体を温める酵素浴剤が敷き詰められている。そして、上記床、壁及び天井の各パネルと閉状態での上記開閉扉とによって上記浴室内の気密状態が保持されるように構成され、上記各パネルに断熱処理が施され、上記酵素浴槽が上記床パネルに対して底上げされて両者の間に空間が確保されている。
【０００８】
このように構成された温浴設備によると、断熱処理が施された床、壁及び天井の各パネルと閉状態での開閉扉との作用によって、浴室の温度が下がりにくくなることと併せて、浴室の湿度も下がりにくくなる。しかも、酵素浴槽が床パネルに対して底上げされて両者の間に空間が確保されていることにより、その空間の空気層が断熱作用を発揮するために、酵素浴槽に敷き詰められている酵素浴剤の温度も下がりにくくなる。したがって、天然発酵熱を放出する微生物の活動環境、具体的には温度環境や湿度環境が長時間に亘って良好に保たれるようになる。
【０００９】
本発明では、上記床パネルに対する上記酵素浴槽の底上げ幅が３０〜５０ｃｍに定められていることが望ましい。酵素浴槽の底上げ幅が３０ｃｍより狭いと空気層が十分な断熱性能を発揮しにくく、５０ｃｍより広いと酵素浴槽の設置位置が高くなって利用者が酵素浴槽に出入りしにくくなる。酵素浴槽の底上げ幅が３０〜５０ｃｍ程度であると、空気層によって満足できる断熱性能が発揮され、また、利用者が酵素浴槽に無理なく出入りすることができる。望ましい底上げ幅は４０ｃｍである。
【００１０】
本発明では、上記各パネルに施された断熱処理が、それらの各パネルの背面側に断熱材を重ね合わせてなる、という構成を採用することが可能である。この構成であると、各パネルに安価に断熱処理を施すことが可能であり、しかも、高い断熱性能を付与することができる。
【００１１】
本発明では、上記温浴槽の槽本体が木製であることが望ましい。この構成を採用すると、槽本体に敷き詰められている酵素浴剤の温度低下の抑制及び調湿作用により、微生物の温度環境や湿度環境が長時間に亘って良好に保たれるようになる。
【発明の効果】
【００１２】
以上のように、本発明に係る温浴設備によると、酵素浴剤ひいては浴室の温度低下が抑制されて、酵素浴剤の攪拌や加熱、浴剤の入れ替えなどを行わずに、長時間に亘って満足のいく酵素浴を行うことのできる温浴設備を提供することが可能になる。
【図面の簡単な説明】
【００１３】
【図１】本発明の実施形態に係る温浴設備の概略構成図である。
【図２】天井パネル及び壁パネルの断熱処理を例示した説明図である。
【図３】床パネル及び壁パネルの断熱処理を例示した説明図である。
【図４】浴室内での酵素浴槽の設置構造を例示した説明図である。
【発明を実施するための形態】
【００１４】
図１は本発明の実施形態に係る温浴設備の概略構成図である。この温浴設備は、仮想線で示した床パネル１１、壁パネル１２及び天井パネル１３とによって囲まれた浴室１０を有している。床パネル１１と天井パネル１３とは略同一サイズの矩形に形成されている。また、壁パネル１２は、床パネル１１及び天井パネル１３の４つのそれぞれの端縁の相互間に亘って配備されている。したがって、床パネル１１、壁パネル１２及び天井パネル１３とによって浴室１０が構成されている。浴室１０には温浴槽としての所要数の酵素浴槽２０が並んで設置されている。そして、１つの壁パネル１２に出入り用の開閉扉３０が設置されている。酵素浴槽２０は、木製の槽本体２１に、微生物による天然発酵熱を利用して利用者の身体を温める酵素浴剤２２が所要の深さで敷き詰められている。
【００１５】
この温浴設備において、浴室１０は、床、壁及び天井の各パネル１１，１２，１３と閉状態での開閉扉３０とによって、室内の気密状態が保持されるように構成されている。また、各パネル１１，１２，１３に断熱処理が施されている。
【００１６】
図２は天井パネル１３及び壁パネル１２の断熱処理を例示し、図３は床パネル１１及び壁パネル１２の断熱処理を例示している。図２又は図３のように、天井パネル１３及び壁パネル１２の断熱処理は、それらの各パネル１３，１２の裏面全面にグラスウール、樹脂発泡体などの断熱材１４，１５を重ね合わせることによって行われている。同様に、床パネル１１の断熱処理は、その床パネル１１の裏面全面にグラスウール、樹脂発泡体などの断熱材１６を重ね合わせることによって行われている。
【００１７】
図４は浴室１０内での酵素浴槽２０の設置構造を例示している。同図のように、酵素浴槽２０は、床パネル１１に対して底上げされて両者の間に空間Ｓが確保されている。酵素浴槽２０を底上げする手段には、酵素浴槽２０を床パネル１１に載置した
木製の脚付き架台４０の上に酵素浴槽２０を設置するという手段が採用されている。
【００１８】
酵素浴槽２０に敷き詰められている酵素浴剤２２は、好気性微生物、及び檜チップ（檜パウダーを含む）などを含んでいる。この酵素浴剤２２を用いると、微生物による天然発酵熱によって酵素浴剤２２の温度が６５〜８０℃にまで上昇するけれども、酵素浴剤２２の堆積層には空気層が存在しているために、利用者の体感温度は４０℃程度になる。その結果、利用者は、酵素浴剤２２に身を沈めて入浴することにより、およそ５分程度でジンワリと汗をかき、身体の内部から温まっていることを感じられるだけでなく、檜の香りによる森林浴の味わいを感じられ、清々しい気分になって深いリラクゼーションを得られる。
【００１９】
ところで、上記した微生物による天然発酵熱によって得られる酵素浴剤２２の温度（６５〜８０℃）は、利用者の入浴による酵素浴剤２２自体の温度の低下のほか、利用者の浴室１０への出入りによって浴室１０内の室温が低下することや、浴室１０の床、壁及び天井のパネルを通して外部への放熱によって室温が低下することにより、酵素浴剤２２の雰囲気温度が低下して酵素浴剤２２の天然発酵が緩慢になるのに伴って次第に酵素浴剤２２の温度が低下するものと考えられる。しかしながら、この実施形態に係る温浴設備では、浴室１０を構成している床、壁及び天井の各パネル１１，１２，１３に断熱処理が施されていることにより、浴室１０からその外部への放熱が起こりにくく、その上、酵素浴槽２０が、床パネル１１に対して底上げされて、両者の間に断熱作用を発揮する空気層を形成する空間Ｓが確保されているために、酵素浴槽２０から床パネル１１への熱伝導による熱の移動も起こりにくい。このことにより、浴室１０や酵素浴剤２２の温度が下がりにくくなって微生物の活動が長時間に亘って持続しやすくなり、天然発酵熱を放出する微生物の活動環境、具体的には温度環境が長時間に亘って良好に保たれる。さらに、上記温浴槽の槽本体２１を木製としたことにより、槽本体２１に敷き詰められている酵素浴剤２２の温度低下の抑制及び調湿作用により、微生物の温度環境や湿度環境が長時間に亘って良好に保たれるようになる。さらにまた、酵素浴剤２２に含まれる水分の蒸発によって微生物の働きが緩慢になるとも考えられるけれども、浴室１０は、床、壁及び天井の各パネル１１，１２，１３と閉状態での開閉扉３０とによって気密状態が保持されるように構成されているので、酵素浴剤２２自体が乾燥しにくく、そのことが、天然発酵熱を放出する微生物の活動環境、具体的には湿度環境が長時間に亘って良好に保たれる。その結果、この実施形態の温浴設備によると、酵素浴剤２２に含まれる微生物の良好な活動環境が長時間に亘って持続することになる。
【００２０】
なお、床、壁及び天井の各パネルに断熱処理を施さず、しかも、酵素浴槽を床パネルに直接に接触させて設置してなる温浴設備とこの実施形態の温浴設備とにおいて、１つの酵素浴槽に複数人が繰り返し入浴するという条件下で、満足のいく温浴効果を期待できる利用者の人数を調査した結果、前者では４人が限度であったのに対し、後者では１０人以上の入浴が可能になった。
【００２１】
図４に示した符号Ｌは、床パネル１１からの酵素浴槽２０の底上げ幅寸法を示している。この底上げ幅Ｌは、３０〜５０ｃｍに定められていることが望ましい。酵素浴槽２０の底上げ幅が３０ｃｍより狭いと空気層が十分な断熱性能を発揮しにくく、５０ｃｍより広いと酵素浴槽２０の設置位置が高くなって利用者が酵素浴槽２０に出入りしにくくなる。酵素浴槽の底上げ幅が３０〜５０ｃｍ程度であると、空気層によって満足できる断熱性能が発揮され、また、利用者が酵素浴槽に無理なく出入りすることができる。望ましい底上げ幅は４０ｃｍである。
【符号の説明】
【００２２】
１０  浴室
１１  床パネル
１２  壁パネル
１３  天井パネル
１４，１５，１６  断熱材
２０  酵素浴槽
２１  槽本体
２２  酵素浴剤
３０  開閉扉
【図１】
2019063082.tif 000003
【図２】
2019063082.tif 000004
【図３】
2019063082.tif 000005
【図４】
2019063082.tif 000006